(57)【要約】  紙葉類に貼り付けられたテープを高精度に検出するため、厚み検知センサ及び光学ラインセンサを有する厚み判定装置によって、紙葉類に貼り付けられたテープ体の有無を判定する厚み判定方法を、搬送路を搬送される紙葉類を光学ラインセンサによって撮像して紙葉類光学画像を取得する光学画像取得工程と、紙葉類の厚みを厚み検知センサによって計測する厚み計測工程と、紙葉類光学画像上で光学エッジを検出して、該光学エッジに基づいて紙葉類上に貼り付けられたテープ体を検出するテープ体候補検出工程と、テープ体候補検出工程でテープ体が検出された場合と検出されなかった場合とで判定基準を変更して、該判定基準に基づいて、厚み計測工程で計測した計測値を評価することにより紙葉類に貼り付けられたテープ体の有無を判定する判定工程とによって構成する。
2016088279.tif 000002
【特許請求の範囲】
【請求項１】
厚み検知センサ及び光学ラインセンサを有する厚み判定装置によって、紙葉類に貼り付けられたテープ体の有無を判定する厚み判定方法であって、
搬送路を搬送される紙葉類を前記光学ラインセンサによって撮像して紙葉類光学画像を取得する光学画像取得工程と、
前記紙葉類の厚みを前記厚み検知センサによって計測する厚み計測工程と、
前記紙葉類光学画像上で光学エッジを検出して、該光学エッジに基づいて前記紙葉類上に貼り付けられたテープ体を検出するテープ体候補検出工程と、
前記テープ体候補検出工程でテープ体が検出された場合と検出されなかった場合とで判定基準を変更して、該判定基準に基づいて、前記厚み計測工程で計測した計測値を評価することにより前記紙葉類に貼り付けられたテープ体の有無を判定する第１判定工程と
を含んだことを特徴とする紙葉類の厚み判定方法。
【請求項２】
前記テープ体候補検出工程は、
前記紙葉類を計測した厚みの計測値の所定方向での変化量に基づいて厚検エッジを検出する工程
をさらに含み、
前記紙葉類光学画像から得られた光学エッジ及び前記計測値の変化量から得られた厚検エッジがテープ体の特徴を示した場合に、テープ体を検出したと判定される
ことを特徴とする請求項１に記載の紙葉類の厚み判定方法。
【請求項３】
前記判定基準はテープ体を検出するための閾値を含み、テープ体が検出された場合に利用する閾値は、厚みの薄いテープ体を検出するために、テープ体が検出されない場合に利用する閾値と異なる値に設定されていることを特徴とする請求項１又は２に記載の紙葉類の厚み判定方法。
【請求項４】
前記テープ体候補検出工程で光学エッジの検出に利用する前記紙葉類光学画像は、赤外光画像であることを特徴とする請求項１〜３のいずれか１項に記載の紙葉類の厚み判定方法。
【請求項５】
前記テープ体候補検出工程で前記紙葉類光学画像上にテープ体が検出された場合には、
前記第１判定工程では、前記テープ体が検出された領域の計測値のみを評価する
ことを特徴とする請求項１〜４のいずれか１項に記載の紙葉類の厚み判定方法。
【請求項６】
前記紙葉類の摩耗度を判定するために、前記紙葉類光学画像に基づいて前記紙葉類の汚損度を判定する汚損判定工程と、
前記汚損判定工程で摩耗が少ない紙葉類であると判定された場合と摩耗した紙葉類であると判定された場合とで異なるテンプレートを選択して、前記紙葉類の各部の厚みを示す前記テンプレートに基づいて、前記厚み計測工程で計測した計測値を評価することにより前記紙葉類に貼り付けられたテープ体の有無を判定する第２判定工程と
をさらに含む
ことを特徴とする請求項１〜５のいずれか１項に記載の紙葉類の厚み判定方法。
【請求項７】
摩耗が少ない紙葉類であると判定された場合に選択されるテンプレートと、摩耗した紙葉類であると判定された場合に選択されるテンプレートとで、摩耗によって厚みが変化する所定領域の厚みを示す数値が異なることを特徴とする請求項６に記載の紙葉類の厚み判定方法。
【請求項８】
前記搬送路を搬送される紙葉類の前端が前記厚み検知センサを形成する２つのローラの間を通過するタイミングと、前記紙葉類の後端が前記ローラの間を通過するタイミングとに基づいて前記紙葉類の搬送方向の長さを算出する算出工程と、
前記算出工程で算出された前記紙葉類の長さに基づいて、前記紙葉類にテープ体が貼り付けられているか否かを判定する第３判定工程と
をさらに含む
ことを特徴とする請求項１〜７のいずれか１項に記載の紙葉類の厚み判定方法。
【請求項９】
前記厚み検知センサは、前記紙葉類の搬送方向と垂直な方向に配設された複数のローラ対によって形成され、前記ローラ対を形成する、固定された回転軸上の基準ローラと前記紙葉類の厚み方向に変位可能な回転軸上の検知ローラとの間を通過する前記紙葉類の厚みを、前記検知ローラの変位量に基づいて、前記搬送方向に０．２５ｍｍピッチで、上下方向に０〜１０２３μｍの間で１μｍの分解能で計測することを特徴とする請求項１〜８のいずれか１項に記載の紙葉類の厚み判定方法。
【請求項１０】
搬送路を搬送される紙葉類の厚みを計測して前記紙葉類に貼り付けられたテープ体の有無を判定する厚み判定装置であって、
前記搬送路を搬送される紙葉類の厚みを計測する厚み検知センサと、
前記搬送路を搬送される前記紙葉類の紙葉類光学画像を撮像する光学ラインセンサと、
前記紙葉類光学画像上で検出した光学エッジに基づいて前記紙葉類上に貼り付けられたテープ体を検出する処理を行って、テープ体が検出された場合と検出されなかった場合とで異なる判定基準を選択して、該判定基準に基づいて、厚みの計測値を評価することにより前記紙葉類に貼り付けられたテープ体の有無を判定する制御部と
を備えることを特徴とする紙葉類の厚み判定装置。
【発明の詳細な説明】
【技術分野】
【０００１】
この発明は、紙葉類の厚みを判定する厚み判定方法及び厚み判定装置に関し、特に、紙葉類の厚みの計測値に加えて光学画像を利用して紙葉類の厚みを判定する紙葉類の厚み判定方法及び厚み判定装置に関する。
【背景技術】
【０００２】
従来、紙幣を識別計数する紙幣処理装置では、紙幣の金種、真偽、正損等を識別して計数する識別装置によって紙幣の厚み判定が行われている。例えば、特許文献１には、紙幣の厚みを計測する厚み検知装置が開示されている。この装置では、固定された回転軸上で回転する基準ローラと、上下移動可能な回転軸上で回転する検知ローラとの間を紙幣が通過する際に、紙幣によって上方へ押し上げられる検知ローラの変位量に基づいて紙幣の厚みを計測する。【０００３】
例えば、紙幣にテープが貼り付けられている場合には、処理対象の紙幣の厚みを計測した際に紙幣上の一部に通常の紙幣より厚みが増している領域があることから、テープを検出することができる。これにより、市場で再利用する正券と再利用に適さない損券とを区別する正損判定において、テープが貼り付けられた紙幣を損券と判定し、この紙幣を装置内の所定収納部に収納して回収することができる。【０００４】
紙幣に貼り付けられたテープの有無を判定する方法として、紙幣の厚みを計測する方法以外に、紙幣光学画像上のテープを光学的に検出する方法がある。例えば、特許文献２には、紙幣に紫外光を照射することによりテープ体の有無を判定する装置が開示されている。この装置では、透明テープ、メンディングテープ等のテープ体が、紫外光の波長域で紙幣表面と異なる吸収率を示すことを利用して、紙幣に紫外光を照射して得られた反射光量に基づいて紙幣上でのテープ体の有無を判定する。
【先行技術文献】
【特許文献】
【０００５】
【特許文献１】特許第４８１９１６２号公報
【特許文献２】特許第４０５８２４６号公報
【発明の概要】
【発明が解決しようとする課題】
【０００６】
しかしながら、上記従来技術では、紙葉類の厚みを正確に判定できない場合があった。例えば、特許文献１に記載の技術に関し、紙葉類を計測した厚みが通常の紙葉類より厚くなっているか否かは、厚みの計測値と、予め準備されている閾値とを比較することによって判定する。ところが、紙葉類の中には、凹版印刷等によって形成された凸部を有するものがあり、この凸部がテープと誤検知される場合があった。凸部の厚みが一定であれば厚みの計測値から凸部であると認識することができるが、市場で流通する間に凸部が摩耗して厚みが変化すると、厚みの計測値から凸部を特定することは困難である。また、近年、従来に比べて厚みの薄いテープが登場しており、紙葉類にテープを貼り付けたことによる厚みの変化が小さいために、厚みの計測値による検出が困難な場合がある。【０００７】
また、特許文献２に記載の技術に関し、紫外光の波長域で特有の吸収率を示すという光学特性を利用してテープを検出するためには、紫外光による光学特性を計測する計測系が必要になる。テープが紙幣上のどこに貼り付けられるかは特定できないため、紙幣全面を対象として紫外光による光学特性を取得する必要があるが、これを実現可能な計測系を有さない識別装置では、この技術を利用することができない。このため、既に市場で利用されている紙幣処理装置では、この技術を利用できない場合がある。【０００８】
本発明は、上述した従来技術による問題点を解消するためになされたもので、紙葉類の厚みの計測値に加えて、従来利用されている多くの装置で取得可能な光学画像を利用して、紙葉類に貼り付けられたテープの有無を高精度に判定することができる紙葉類の厚み判定方法及び厚み判定装置を提供することを目的とする。
【課題を解決するための手段】
【０００９】
上述した課題を解決し、目的を達成するため、本発明は、厚み検知センサ及び光学ラインセンサを有する厚み判定装置によって、紙葉類に貼り付けられたテープ体の有無を判定する厚み判定方法であって、搬送路を搬送される紙葉類を前記光学ラインセンサによって撮像して紙葉類光学画像を取得する光学画像取得工程と、前記紙葉類の厚みを前記厚み検知センサによって計測する厚み計測工程と、前記紙葉類光学画像上で光学エッジを検出して、該光学エッジに基づいて前記紙葉類上に貼り付けられたテープ体を検出するテープ体候補検出工程と、前記テープ体候補検出工程でテープ体が検出された場合と検出されなかった場合とで判定基準を変更して、該判定基準に基づいて、前記厚み計測工程で計測した計測値を評価することにより前記紙葉類に貼り付けられたテープ体の有無を判定する第１判定工程とを含んだことを特徴とする。【００１０】
また、本発明は、上記発明において、前記テープ体候補検出工程は、前記紙葉類を計測した厚みの計測値の所定方向での変化量に基づいて厚検エッジを検出する工程をさらに含み、前記紙葉類光学画像から得られた光学エッジ及び前記計測値の変化量から得られた厚検エッジがテープ体の特徴を示した場合に、テープ体を検出したと判定されることを特徴とする。【００１１】
また、本発明は、上記発明において、前記判定基準はテープ体を検出するための閾値を含み、テープ体が検出された場合に利用する閾値は、厚みの薄いテープ体を検出するために、テープ体が検出されない場合に利用する閾値と異なる値に設定されていることを特徴とする。【００１２】
また、本発明は、上記発明において、前記テープ体候補検出工程で光学エッジの検出に利用する前記紙葉類光学画像は、赤外光画像であることを特徴とする。【００１３】
また、本発明は、上記発明において、前記テープ体候補検出工程で前記紙葉類光学画像上にテープ体が検出された場合には、前記第１判定工程では、前記テープ体が検出された領域の計測値のみを評価することを特徴とする。【００１４】
また、本発明は、上記発明において、前記紙葉類の摩耗度を判定するために、前記紙葉類光学画像に基づいて前記紙葉類の汚損度を判定する汚損判定工程と、前記汚損判定工程で摩耗が少ない紙葉類であると判定された場合と摩耗した紙葉類であると判定された場合とで異なるテンプレートを選択して、前記紙葉類の各部の厚みを示す前記テンプレートに基づいて、前記厚み計測工程で計測した計測値を評価することにより前記紙葉類に貼り付けられたテープ体の有無を判定する第２判定工程とをさらに含むことを特徴とする。【００１５】
また、本発明は、上記発明において、摩耗が少ない紙葉類であると判定された場合に選択されるテンプレートと、摩耗した紙葉類であると判定された場合に選択されるテンプレートとで、摩耗によって厚みが変化する所定領域の厚みを示す数値が異なることを特徴とする。【００１６】
また、本発明は、上記発明において、前記搬送路を搬送される紙葉類の前端が前記厚み検知センサを形成する２つのローラの間を通過するタイミングと、前記紙葉類の後端が前記ローラの間を通過するタイミングとに基づいて前記紙葉類の搬送方向の長さを算出する算出工程と、前記算出工程で算出された前記紙葉類の長さに基づいて、前記紙葉類にテープ体が貼り付けられているか否かを判定する第３判定工程とをさらに含むことを特徴とする。【００１７】
また、本発明は、上記発明において、前記厚み検知センサは、前記紙葉類の搬送方向と垂直な方向に配設された複数のローラ対によって形成され、前記ローラ対を形成する、固定された回転軸上の基準ローラと前記紙葉類の厚み方向に変位可能な回転軸上の検知ローラとの間を通過する前記紙葉類の厚みを、前記検知ローラの変位量に基づいて、前記搬送方向に０．２５ｍｍピッチで、上下方向に０〜１０２３μｍの間で１μｍの分解能で計測することを特徴とする。【００１８】
また、本発明は、搬送路を搬送される紙葉類の厚みを計測して前記紙葉類に貼り付けられたテープ体の有無を判定する厚み判定装置であって、前記搬送路を搬送される紙葉類の厚みを計測する厚み検知センサと、前記搬送路を搬送される前記紙葉類の紙葉類光学画像を撮像する光学ラインセンサと、前記紙葉類光学画像上で検出した光学エッジに基づいて前記紙葉類上に貼り付けられたテープ体を検出する処理を行って、テープ体が検出された場合と検出されなかった場合とで異なる判定基準を選択して、該判定基準に基づいて、厚みの計測値を評価することにより前記紙葉類に貼り付けられたテープ体の有無を判定する制御部とを備えることを特徴とする。
【発明の効果】
【００１９】
本発明によれば、例えば、紙幣光学画像を利用して紙幣上のテープを検出する処理を行って、紙幣にテープが貼り付けられている可能性がある場合にのみ、紙幣の厚みを判定するための判定基準を厳しくして紙幣上のテープの有無を判定することができるので、薄いテープが貼り付けられている場合でも、テープの有無を高精度に判定することができる。また、厳しい閾値を常に利用することによって誤検知が増加するといった事態を回避することができる。【００２０】
また、本発明によれば、紙幣各部の厚みを評価するために予め準備されたテンプレートについて、例えば、市場で流通する間に摩耗によって厚みが変化する紙幣については、完封券と呼ばれる摩耗のない紙幣用、摩耗した紙幣用というように複数のテンプレートを準備しておいて、紙幣の摩耗度に応じたテンプレートを選択して厚みの計測値を評価することにより、テープの有無を高精度に判定することができる。例えば、紙幣上の一部の領域に、摩耗によって厚みが大きく変化する凸部があるような場合でも、摩耗の少ない新券の凸部が摩耗した紙幣用のテンプレートを利用したためにテープと誤検知されることがない。また、新券に貼り付けられたテープの有無は、摩耗のない紙幣用のテンプレートを利用して高精度に判定することもできる。【００２１】
また、本発明によれば、対向配置された２つのローラ間を、搬送される紙幣が通過する際のローラの変位によって厚みを計測するので、紙幣の搬送方向前端がローラ間を通過するタイミングから後端がローラ間を通過するタイミングまでの間に得られた紙幣の厚みの計測結果を利用して、紙幣の搬送方向の長さを算出することができる。厚みの計測結果から紙幣の長さを算出する場合には、紙幣にテープが貼り付けられて厚みが増すと、算出される見かけの紙幣長さが変化することを利用して、テープの有無を判定することができる。例えば、搬送方向に０．２５ｍｍのピッチで紙幣の厚みを計測して、ピッチと厚みの計測回数から紙幣の札長を算出することにより、紙幣長さに基づいて高精度にテープの有無を判定することができる。【００２２】
また、本発明によれば、対向配置された２つのローラ間を、搬送される紙幣が通過する際のローラの変位によって厚みを計測する場合に、１μｍの分解能で紙幣の厚みを高精度に計測することができる。また、１００μｍ程度の厚みを有する紙幣に対して、１０２３μｍまでの厚みを計測可能となっているので、紙幣の厚み方向に変位可能に支持されたローラが、高速搬送される紙幣の突入によって跳ね上がった場合でも、紙幣前端の計測値がローラによる計測範囲を超えて計測値を得られないという事態を回避することができる。紙幣前端の突入によりローラが跳ね上がった場合でも、紙幣のみの場合と、紙幣にテープが貼り付けられている場合とで計測値に差が生ずるので、１０２３μｍまでの間でローラの変位による計測値を得ることにより、テープの有無を判定することができる。
【図面の簡単な説明】
【００２３】
【図１】図１は、本実施形態に係る紙幣識別装置の構成概略を説明するための図である。
【図２】図２は、紙幣識別装置を構成する上部ユニット及び下部ユニットの構成概略を説明するための図である。
【図３】図３は、紙幣識別装置の機能構成概略を説明するためのブロック図である。
【図４】図４は、紙幣の厚み判定方法の流れを示すフローチャートである。
【図５】図５は、テンプレートによる厚み判定処理を説明する図である。
【図６】図６は、エッジ検出による厚み判定処理の流れを示すフローチャートである。
【図７】図７は、搬送方向の紙幣長さによる厚み判定処理を説明する図である。
【図８】図８は、紙幣の厚みから算出した搬送方向の紙幣長さを示す図である。
【発明を実施するための形態】
【００２４】
以下に、添付図面を参照して、本発明に係る紙葉類の厚み判定方法及び厚み判定装置について説明する。本発明に係る技術は、小切手、手形、帳票等の様々な紙葉類に適用可能であるが、以下では、紙幣を例に挙げて説明する。
【００２５】
図１及び図２は、本実施形態に係る紙幣識別装置１０の構成概略を説明するための図である。従来、紙幣処理装置で紙幣を処理する際に各紙幣の金種、真偽、正損等を識別して計数するために利用されている紙幣識別装置１０が、本実施形態に係る紙幣の厚み判定方法を実現する厚み判定装置として機能する。
【００２６】
図１は、紙幣識別装置１０を側方から見た模式図である。紙幣識別装置１０は、搬送路１７上での紙幣１００の搬送位置を検知するための２組のタイミングセンサ１１、１２と、紙幣１００の光学画像を取得する光学ラインセンサ１３と、紙幣１００の蛍光特性を取得する蛍光センサ１４と、紙幣１００の厚みを計測する厚み検知センサ１５と、紙幣１００の磁気特性を取得する磁気センサ１６とを有している。紙幣１００は、搬送路１７上を矢印で示す方向に搬送され、紙幣識別装置１０の上部ユニット１０ａと下部ユニット１０ｂとの間を通過する。
【００２７】
図２は、紙幣識別装置１０を構成する上部ユニット１０ａ及び下部ユニット１０ｂのそれぞれを、搬送路１７側から見た平面図を示している。タイミングセンサ１１、１２と、光学ラインセンサ１３と、厚み検知センサ１５と、磁気センサ１６とは、上部ユニット１０ａ側の構成部と、下部ユニット１０ｂ側の構成部とによって構成されている。図２では、上部側の構成部には符号にａを付して示し、下部側の構成部には符号にｂを付して示している。
【００２８】
タイミングセンサ１１、１２は、搬送路１７を挟んで投受光する光が、紙幣１００によって遮られることを利用して、搬送路１７上での紙幣１００を検知する機能を有する。タイミングセンサ１１によって、紙幣識別装置１０への紙幣１００の到来を検知して、紙幣１００の通過に合わせて、光学ラインセンサ１３による紙幣１００の撮像、蛍光センサ１４による蛍光特性の計測、厚み検知センサ１５による厚みの計測、磁気センサ１６による磁気特性の計測が行われる。また、タイミングセンサ１２による紙幣１００の検知結果は、紙幣識別装置１０が内蔵された紙幣処理装置によって、例えば、搬送路１７の下流側で、紙幣１００を反転させたり、所定の収納部へ収納したりするために利用される。
【００２９】
光学ラインセンサ１３は、紙幣１００の可視光画像及び赤外光画像を取得する機能を有する。上部ユニット１３ａ及び下部ユニット１３ｂにより、紙幣１００の上面の反射画像、下面の反射画像及び透過画像を取得できるようになっている。蛍光センサ１４は、紙幣１００に紫外光を照射して反射光を計測することにより紙幣１００の蛍光特性を取得する機能を有する。また、磁気センサ１６は、下部側で回転する毛ローラ１６ｂによって上部側のセンサユニット１６ａに紙幣１００を押し付けた状態で紙幣１００の磁気特性を取得する機能を有する。
【００３０】
図２に示すように、搬送路１７には、搬送方向に垂直な方向の両側に紙幣の位置を規制する搬送ガイド１７ｃ、１７ｄが設けられており、紙幣１００は、搬送ガイド１７ｃ、１７ｄの間を矢印で示す方向に搬送される。これにより、光学ラインセンサ１３は紙幣１００全面の光学画像を取得し、厚み検知センサ１５は紙幣１００全面の厚みを計測し、磁気センサ１６は紙幣１００の全面から磁気特性を取得できるようになっている。
【００３１】
厚み検知センサ１５は、固定された下部側の基準ローラ１５ｂに対して、上部側の検知ローラ１５ａが紙幣の厚み方向（上下方向）に移動可能に支持されており、２つのローラの間を搬送される紙幣１００の厚みに応じて、上部側の検知ローラ１５ａの位置が上方へ移動した際の変位量を計測することにより紙幣１００の厚みを計測する。
【００３２】
厚み検知センサ１５は、搬送路１７を一定速度で搬送される紙幣１００の厚みを一定の時間間隔で計測する。厚み検知センサ１５によって計測を行うタイミングは、例えば、一定速度で紙幣１００を搬送する搬送路１７用の駆動モータと連動するロータリーエンコーダやタイマー回路を利用して制御される。一定の時間間隔で計測を行うことにより、厚み検知センサ１５によって紙幣１００の搬送方向前端を検知してから後端を検知するまでの厚み計測のカウント数（計測回数）と、計測ピッチ（各計測の距離間隔）から、紙幣１００の搬送方向の長さを算出することができる。例えば、計測ピッチが０．２５ｍｍで、紙幣１００の厚みが３０１カウント分得られた場合には、この紙幣１００の長さは、７５ｍｍ（＝０．２５ｍｍ×３００）であると算出することができる。ただし、紙幣１００の搬送方向の長さを算出する方法は、例えば、厚み検知センサ１５によって紙幣１００の搬送方向前端を検知してから後端を検知するまでの時間と、紙幣１００の搬送速度とによって算出する方法であっても構わない。
【００３３】
厚み検知センサ１５は、複数の検知ローラ１５ａと、これに対向配置された基準ローラ１５ｂとによって構成されている。複数の検知ローラ１５ａは、紙幣１００の搬送方向に垂直な方向に配設されている。所定数の検知ローラ１５ａを１チャンネルとして、複数チャンネルの検知ローラ１５ａにより、紙幣１００の厚みを計測する。例えば、２個一対の検知ローラ１５ａを１チャンネルとして、１２チャンネル分、２４個の検知ローラ１５ａを利用して、紙幣１００の厚みを計測する。検知ローラ１５ａは、チャンネル毎に独立して上下方向に変位可能に支持されており、紙幣１００を各チャンネルに対応する領域に分割して、各領域で厚みを計測する。具体的には、図２に示すように、矢印で示す方向に紙幣１００が搬送されると、紙幣１００を搬送方向に長い複数の帯状領域に分割して、各領域の厚みが、対応する各チャンネル（図中Ｃｈ１、Ｃｈ２、Ｃｈ３…）の検知ローラ１５ａによって計測される。多チャンネルの検知ローラ１５ａを利用して行う紙幣の厚み計測については、本願出願人による日本特許第４８１９１６２号公報に開示しているため詳細は省略する。
【００３４】
厚み検知センサ１５では、搬送方向に０．２５ｍｍピッチで、各チャンネルでの紙幣１００の厚み計測が行われる。また、紙幣１００の厚みは０〜１０２３μｍの間で、１μｍの分解能で計測される。
【００３５】
例えば、日本紙幣の厚みは１００μｍであるが、図１に示すように、検知ローラ１５ａ及び基準ローラ１５ｂが上下に対向配置された厚み検知センサ１５に向けて、紙幣１００が高速で搬送されてローラ間に突入すると、その衝撃で、上下方向に変位可能に支持された検知ローラ１５ａが上方へ跳ね上がる場合がある。厚み検知センサ１５では、紙幣１００の厚み、すなわち検知ローラ１５ａの変位量を１０２３μｍまで計測可能とすることで、実際の紙幣１００の厚みを超えて検知ローラ１５ａが跳ね上がった場合でも、計測値が飽和することなく、跳ね上がった検知ローラ１５ａの変位量を計測できるようになっている。
【００３６】
具体的には、例えば、搬送方向前端の一部の領域にテープ（テープ体）が貼り付けられた紙幣１００の前端がローラ間へ突入した際に、各チャンネルの検知ローラ１５ａが跳ね上がるが、テープが貼り付けられている領域で厚みを計測するチャンネルと、その他の領域で厚みを計測するチャンネルとで、跳ね上がった検知ローラ１５ａの高さに差が生ずる。このとき、例えば、検知ローラ１５ａの変位を５１２μｍしか計測できなければ、検知ローラ１５ａがこれを超える高さまで跳ね上がると、紙幣を検知した全てのチャンネルで計測値が５１２μｍを示し、テープが貼り付けられた位置を特定することができない。厚み検知センサ１５では、１０２３μｍの変位を計測可能とすることで、このような事態を回避して、各チャンネルの計測値を比較することにより、紙幣１００上に貼り付けられたテープを検出できるようになっている。
【００３７】
図３は、紙幣識別装置１０の機能構成概略を説明するためのブロック図である。紙幣識別装置１０は、図１に示したタイミングセンサ１１、１２、光学ラインセンサ１３、蛍光センサ１４、厚み検知センサ１５及び磁気センサ１６のセンサ群と、センサ群の各センサ１１〜１６と接続された制御部２０と、制御部２０と接続された記憶部３０とを有している。
【００３８】
制御部２０は、センサ情報取得部２１と、金種識別部２２と、真偽識別部２３と、記番号識別部２４と、正損識別部２５とを有している。センサ情報取得部２１は、センサ群を形成する各センサ１１〜１６から紙幣１００に係る各データを取得する機能を有する。
【００３９】
金種識別部２２、真偽識別部２３及び記番号識別部２４は、センサ情報取得部２１で取得したデータを利用して識別処理を行う。金種識別部２２は紙幣１００の金種を識別し、真偽識別部２３は紙幣１００の真偽を識別する。記番号識別部２４は、文字認識処理により、紙幣１００に印刷された記番号を識別して取得する。
【００４０】
正損識別部２５は、厚み判定部２５Ａ及び総合判定部２５Ｂを有する。正損識別部２５は、センサ情報取得部２１で取得したデータを利用して、紙幣１００の正損を判定する機能を有する。正損識別部２５は、紙幣１００の汚れ、折れ、破れ等を検出すると共に、紙幣１００の厚みから紙幣１００に貼り付けられたテープ等を検出することにより、紙幣１００を、市場で再利用できる正券及び市場流通に適さない損券のいずれとして処理するかを判定する機能を有する。なお、厚み判定部２５Ａによって紙幣１００の厚みを判定するための複数種類の判定処理を行って、これらの判定処理の結果に基づいて、総合判定部２５Ｂが紙幣１００上のテープの有無を最終判定するが、これについての詳細は後述する。
【００４１】
記憶部３０は、半導体メモリやハードディスク等から成る記憶装置であり、内部には、金種、真偽、正損等を識別するために必要となる判定用データ３１が保存されている。判定用データ３１には、テンプレート３１Ａ及び閾値３１Ｂが含まれている。テンプレート３１Ａとして、例えば、金種、真偽、正損等を識別するために紙幣１００を撮像した紙幣光学画像と比較するための基準光学画像、紙幣１００から取得した蛍光特性や磁気特性を示す波形や画像と比較するための基準波形や基準光学画像等が保存されている。また、閾値３１Ｂとして、金種、真偽、正損等を識別するために紙幣１００から取得した各種の特徴量を判定するための値が保存されている。テンプレート３１Ａ及び閾値３１Ｂは、紙幣識別装置１０で処理される紙幣１００の金種別に予め準備されている。なお、記憶部３０には、この他、紙幣１００を識別するための各種データの計測方法を設定した設定データ、記番号識別部２４により記番号を文字認識するための辞書データ等も保存されている。また、記憶部３０は、各センサ１３〜１６によって計測した光学画像や計測値の保存、紙幣１００の識別結果の保存等にも利用される。
【００４２】
紙幣１００の金種を識別する処理、真偽を識別する処理、記番号を取得する処理、紙幣１００の汚れ、折れ、破れ等により正損を判定する処理については、従来技術を利用することができるため詳細な説明は省略して、以下では、正損識別部２５の機能として実現される紙幣１００の厚み判定方法について詳細を説明する。
【００４３】
図４は、正損識別部２５によって行われる紙幣１００の厚み判定方法の流れを示すフローチャートである。まず、光学ラインセンサ１３により、紙幣１００全面の光学画像を取得する（ステップＳ１）。紙幣識別装置１０では、紙幣１００に可視光又は赤外光を照射して、反射画像及び透過画像を取得することができる。
【００４４】
次に、厚み検知センサ１５により、紙幣１００全面の厚みを計測する（ステップＳ２）。具体的には、図２に示すように、厚み検知センサ１５を形成する複数チャンネルの検知ローラ１５ａに対応して、紙幣１００を、搬送方向に長い複数の帯状領域に分割した各領域で、０〜１０２３μｍの間で１μｍの分解能で厚みを計測する。各チャンネルの厚み計測は、搬送方向のピッチを０．２５ｍｍとして、紙幣１００の搬送方向前端から後端まで繰り返し行われる。例えば、紙幣１００の搬送方向の長さが７５ｍｍである場合には、各チャンネルで、１回の計測を１カウントとして３０１カウント分の厚みの計測値が得られることになる。得られた計測値は、記憶部３０に保存される。
【００４５】
光学ラインセンサ１３による紙幣１００の光学画像取得、厚み検知センサ１５による紙幣１００の厚み計測の他、蛍光センサ１４による蛍光特性の取得、磁気センサ１６による磁気特性の取得が行われる。そして、センサ情報取得部２１によって得られた各データと、記憶部３０に予め保存されているテンプレート３１Ａ及び閾値３１Ｂに基づいて、金種識別部２２による紙幣１００の金種識別が行われる（ステップＳ３）。金種識別の結果は、記憶部３０に保存される。
【００４６】
紙幣１００の各領域で得られた厚みの計測値と、紙幣１００の金種を示すデータとを記憶部３０に保存した状態で、厚み判定部２５Ａにより、紙幣１００に貼り付けられたテープを検出することを目的として、紙幣１００の厚みを判定する３つの判定処理が並行して実行される。具体的には、厚み検知センサ１５で得られた信号と紙幣１００各部の厚みを示すテンプレート３１Ａとを利用して行う厚み判定処理（ステップＳ１０）と、光学ラインセンサ１３で得られた赤外光画像で紙幣１００上に貼り付けられたテープのエッジを検出して行う厚み判定処理（ステップＳ２０）と、厚み検知センサ１５で得られる信号に基づいて算出した紙幣１００の搬送方向の長さ（札長）に基づいて行う厚みの判定処理（ステップＳ３０）とが並行して実行される。これらの処理の詳細については後述する。
【００４７】
厚み判定部２５Ａにより、３つの判定処理（ステップＳ１０、Ｓ２０、Ｓ３０）の結果が得られると、総合判定部２５Ｂにより、各処理結果を総合して、紙幣１００上に貼り付けられたテープの有無を判定する総合判定処理が行われる（ステップＳ４０）。具体的には、３つの判定処理のうち、１つでも紙幣１００にテープが貼り付けられていることを示す判定結果が得られた処理があれば、総合判定部２５Ｂは、紙幣１００上にテープが有ると判定する。一方、３つの判定処理の全てにおいて、テープは貼り付けられていないとする判定結果が得られた場合には、総合判定部２５Ｂは、紙幣１００上にテープは無いと決定する。
【００４８】
次に、図５〜図７を参照しながら、厚み判定部２５Ａによって行われる３つの判定処理（ステップＳ１０、Ｓ２０、Ｓ３０）について、詳細を説明する。
【００４９】
図５は、紙幣１００各部の厚みの基準値を示すテンプレートを利用して行う厚み判定処理を説明する図である。図５に示す各処理は、厚み判定部２５Ａによって実行される。また、各処理で利用されるテンプレートデータ（判定基準）は、予め記憶部３０にテンプレート３１Ａとして保存されている。厚みのテンプレートデータは、各金種の紙幣の厚みを示すデータで、紙幣上で厚みの異なる領域がある場合でも、この領域の位置及び厚みを特定できるデータとなっている。
【００５０】
例えば、図５（ａ）に示すように、紙幣１０１上に、他の領域より厚みが厚い凸部１１１がある場合に、この紙幣１０１を厚み検知センサ１５によって計測すると、同図（ｂ）に示すように、凸部２１１が他の領域よりも厚いことを示す計測データ２０１が得られる。
【００５１】
なお、図５（ｂ）では模式的に示しているが、計測データ２０１、テンプレートデータ３０１及び判定用データ４０１は、紙幣の厚みに応じて明度の異なる光学画像となっている。例えば、紙幣の厚みを０〜１０２３μｍの間で１０ビットのデータ（０〜１０２３）で表して、紙幣上の各領域を、ビット値（厚み）に応じた明度で表すことにより、厚みを光学画像として処理することができる。
【００５２】
厚み判定部２５Ａは、先に得られている金種識別結果に基づいて、記憶部３０のテンプレート３１Ａを参照して、図５（ａ）に示す紙幣１０１に対応するテンプレートデータ３０１を読み出す。テンプレートデータ３０１は、図５（ｂ）に示すように、凸部３１１の厚みが他の領域の厚みよりも厚いことを示すデータとなっている。
【００５３】
テンプレートデータ３０１は、紙幣１０１各部の厚みを示す基準値であるから、実際に厚みを計測した紙幣１０１にテープ等が貼り付けられていなければ、計測データ２０１からテンプレートデータ３０１を差し引く処理を行うと、差分データとして得られる判定用データ４０１は、図５（ｂ）に示すように、凸部のない一様な厚みを示すデータとなる。
【００５４】
具体的には、例えば、市場で流通する紙幣１０１の凸部１１１の厚みが１０５μｍで他の領域の厚みが１００μｍである場合には、凸部３１１の厚みを１０５μｍとして他の領域の厚みを１００μｍとしたテンプレートデータ３０１が予めテンプレート３１Ａとして記憶部３０に保存されている。このため、テープのない紙幣１０１の計測データ２０１からテンプレートデータ３０１を差し引いて得られる判定用データ４０１は、全面で一様に０（ゼロ）を示すことになる。一方、例えば、紙幣１０１に、３０μｍの厚みを有するテープが貼り付けられている場合には、判定用データ４０１上でテープに対応する部分のみが３０μｍの厚みを示すことになるので、判定用データ４０１を利用してテープを検出することができる。なお、実際には、紙幣１０１の厚みのバラツキや計測上の誤差を考慮して、例えば閾値を１５μｍとして判定用データ４０１の判定を行って、３０μｍの厚みを有するテープを検出する。判定基準として利用される閾値も、予め記憶部３０に閾値３１Ｂとして保存されている。
【００５５】
紙幣の中には、紙幣上の凸部の厚みが、市場で流通する間に摩耗して変化するものが存在する。具体的には、完封券と呼ばれる未使用の紙幣（以下「新券」と記載する）では凸部の厚みが厚く、市場で流通する間に凸部が摩耗して、市場で流通する紙幣（以下「通常券」と記載する）では新券に比べて凸部の厚みが薄くなる。
【００５６】
例えば、通常券の凸部の計測値が１０５μｍであったのに対して、図５（ｃ）に示すように、新券の凸部の計測値が１３０μｍであった場合は、通常券評価用に準備された通常券用テンプレートデータの凸部の厚み１０５μｍを差し引いて得られる判定用データの凸部の値は２５μｍとなる。この結果、１５μｍの閾値を超えることから、テープが貼り付けられていると判定される。すなわち、テープは貼り付けられていないにも拘わらず、新券の凸部がテープと誤判定されてしまう。
【００５７】
紙幣識別装置１０では、このような誤判定を回避するため、摩耗が生じる紙幣については予め複数種類のテンプレートデータが準備されている。そして、紙幣の摩耗度を判定する処理を行って、摩耗度に応じたテンプレートデータを選択して厚みを判定することにより、誤判定の発生を回避している。以下、２種類のテンプレートデータを利用する場合を例に具体的な方法を説明する。
【００５８】
図５（ｄ）は、２種類のテンプレートデータを利用して、厚みを判定する方法を示すフローチャートである。まず、紙幣１０１を可視光下で撮像した光学画像を利用して、紙幣１０１の汚損判定を行う（ステップＳ１１）。汚損判定では、例えば、紙幣光学画像を二値化して、紙幣１０１上で白色を示す背景領域に黒色を示す画素があれば汚れがあると判定する。その他、皺、折れ等の有無が判定されるが、紙幣の汚損判定は、正損判定の一部として従来行われている技術であるため詳細な説明は省略する。
【００５９】
汚損判定の結果、紙幣１０１に汚れ、折れ、皺等が検出され、新券ではなく通常券であると判定された場合は（ステップＳ１２；Ｎｏ）、通常券用のテンプレートデータ３０１を利用して、テープの有無を判定する処理を行う（ステップＳ１３）。一方、汚損判定の結果、紙幣１０１に汚れ、折れ、皺等が検出されず、新券であると判定された場合は（ステップＳ１２；Ｙｅｓ）、新券用のテンプレートデータ３０１を利用して、テープの有無を判定する処理を行う（ステップＳ１４）。
【００６０】
具体的には、図５（ｃ）に示すように、テープが貼り付けられていない新券で凸部の計測値が１３０μｍであった場合に、通常券用テンプレートデータではなく、新券用テンプレートデータを利用して厚みの判定が行われる。新券用テンプレートデータの凸部の厚みは、通常券用テンプレートデータに比べて厚い１２０μｍに設定されている。これにより、凸部の計測値からテンプレートデータの値を差し引いた差分は１０μｍとなり、１５μｍの閾値以下となる。この結果、新券にテープは貼り付けられていないという正しい判定結果を得ることができる。
【００６１】
また、新券の凸部に、厚み３０μｍのテープが貼り付けられている場合には、計測値が１６０μｍとなり、新券用テンプレートデータとの差分は３０μｍとなる。この結果、１５μｍの閾値より大きい値を示すことから、新券にテープが貼り付けられているという正しい判定結果を得ることができる。
【００６２】
なお、凸部以外の領域については、新券用テンプレートでも通常券用テンプレートと同じ１００μｍに設定されている。これにより、新券の凸部以外の領域に、厚み３０μｍのテープが貼り付けられて厚みが１３０μｍとなっている場合にも、新券用テンプレートとの差分が３０μｍとなり、１５μｍの閾値より大きい値を示すことに基づいてテープを検出することができる。
【００６３】
このように、紙幣識別装置１０では、摩耗により厚みが変化する領域を有する紙幣については、予め、摩耗度に応じて複数種類のテンプレートデータが準備されており、紙幣の摩耗度を特定するための判定処理を行った後、摩耗度に応じたテンプレートデータを選択して厚み判定を行うので、紙幣に貼り付けられたテープの有無を高精度に判定することができる。
【００６４】
次に、紙幣１００上に貼り付けられたテープの光学エッジと厚検エッジを検出して行う厚み判定処理について説明する。図６は、エッジ検出による厚み判定処理の流れを示すフローチャートである。図６に示す各処理は、厚み判定部２５Ａによって実行される。また、各処理で利用される閾値（判定基準）は、予め記憶部３０に閾値３１Ｂとして保存されている。なお、光学ラインセンサ１３で取得した光学画像を利用して検出したエッジを光学エッジ、厚み検知センサ１５で取得した厚みの計測値を利用して検出したエッジを厚検エッジとして区別しているが、いずれもテープのエッジを検出したものである。
【００６５】
まず、紙幣１００に赤外光を照射して撮像した光学画像を利用して、光学エッジを検出する処理を行う（ステップＳ２１）。光学画像に含まれる光学エッジを検出する処理は従来技術を利用して行うことができるため詳細は省略するが、例えば、赤外光画像に、微分フィルタやソーベルフィルタ等の光学エッジ検出用のフィルタを適用する光学画像処理を行って光学エッジを検出する。
【００６６】
紙幣１００上にテープが貼り付けられている場合には、テープの幅方向の両縁、すなわちテープとテープが無い紙幣との境界部分で直線状の光学エッジが検出される。これを利用して、光学エッジ検出の光学画像処理を行った後の光学画像で、テープの幅に対応する所定幅で、平行な状態で存在する直線状の光学エッジが、所定値以上の長さを示す場合に、紙幣１００にテープが貼り付けられていると判定する（ステップＳ２２；Ｙｅｓ）。
【００６７】
一方、テープによる光学エッジが検出されなかった場合には、紙幣１００にテープは貼り付けられていないと判定して（ステップＳ２２；Ｎｏ）、続いて、隣接する紙幣１００の厚み計測値を比較して厚検エッジを検出する処理を行う（ステップＳ２３）。
【００６８】
紙幣１００の厚みを計測した計測値は、テープが貼り付けられていない領域では略同じ値を示す。一方、テープが貼り付けられた領域では、他の領域に比べて、テープの厚みの分だけ大きな値を示す。これを利用して、隣接する厚み計測値を比較することにより、計測値の変化からテープの厚検エッジを検出することができる。
【００６９】
具体的には、例えば、図２に示す紙幣１００で、搬送方向と垂直な方向、すなわち紙幣１００の厚みを計測するチャンネルが変わる方向で厚みの計測値の微分値を算出することによりテープの厚検エッジを検出する。同様に、搬送方向と平行な方向等、各方向で計測値の微分値を算出して厚検エッジを検出する処理を行う。そして、微分値が所定の閾値を超える計測点が、テープの幅に対応する所定幅で平行かつ直線状に、所定値以上の長さで連続する場合には、紙幣１００にテープが貼り付けられていると判定する（ステップＳ２４；Ｙｅｓ）。一方、テープによる厚検エッジが検出されなかった場合には、紙幣１００にテープは貼り付けられていないと判定する（ステップＳ２４；Ｎｏ）。
【００７０】
このように、テープのエッジを検出して行う判定処理では、赤外光画像に現れる光学エッジに基づいてテープを検出する処理（ステップＳ２１）と、隣接する厚み計測値の変化量に現れる厚検エッジに基づいてテープを検出する処理（ステップＳ２３）との２つの処理を行う。そして、いずれか１つの処理でテープが検出されれば、紙幣１００にテープが貼り付けられていると判定し、両方の処理でテープが検出されない場合にのみテープは貼り付けられていないと判定する。
【００７１】
テープが貼り付けられていないと判定された場合には、紙幣１００の全面の厚み計測値を第１閾値と比較して、テープを検出するための厚み判定を行う（ステップＳ２５）。一方、テープが貼り付けられていると判定された場合には、検出した厚検エッジに基づいてテープが貼り付けられている領域を特定して、この領域の計測値を第２閾値と比較して、テープを検出するための厚み判定を行う（ステップＳ２６）。
【００７２】
具体的には、紙幣１００の厚みが１００μｍである場合に、第１閾値による判定処理では、第１閾値を３０μｍに設定して、紙幣１００の厚みを計測した計測値が１３０μｍより大きい値を示した場合に、紙幣１００にテープが貼り付けられていると判定する。一方、第２閾値による判定処理では、第２閾値を２５μｍにして、紙幣１００の厚みを計測した計測値が１２５μｍより大きい値を示した場合に、紙幣１００にテープが貼り付けられていると判定する。すなわち、第２閾値による判定処理では、先に、エッジ検出処理によりテープが検出されているため、第１閾値よりも厳しい第２閾値でテープの有無を判定する。
【００７３】
このように、紙幣識別装置１０では、紙幣光学画像から光学エッジを検出する処理及び計測値の変化量から厚検エッジを検出する処理を行って、テープによるエッジが検出された場合にのみ、通常より厳しい閾値でテープの有無を判定することにより、紙幣に貼り付けられたテープの有無を高精度に判定することができる。
【００７４】
次に、紙幣１００の搬送方向の長さに基づいて行う厚みの判定処理について説明する。図７及び図８は、搬送方向の紙幣長さによる厚み判定処理を説明する図である。図７及び図８を参照しながら説明する各処理は、厚み判定部２５Ａによって実行される。また、各処理で利用される閾値（判定基準）は、予め記憶部３０に閾値３１Ｂとして保存されている。
【００７５】
紙幣識別装置１０では、厚み検知センサ１５によって紙幣１００の厚みを計測すると共に、厚みの計測結果に基づいて紙幣１００の搬送方向の長さ（以下「札長」と記載する）を算出する。札長は、搬送路１７を搬送される紙幣１００の搬送方向前端によって検知ローラ１５ａが押し上げられてから後端が通過して検知ローラ１５ａが下がるまでの間に紙幣１００の厚みを計測した回数（カウント数）と、厚みの計測が行われる間隔（ピッチ）とに基づいて算出される。
【００７６】
図７は、搬送方向の紙幣長さによる厚み判定処理を説明する図である。図７（ａ）に示すように、紙幣１０３にテープ５０１が貼り付けられた状態で検知ローラ１５ａと基準ローラ１５ｂとの間に到達する場合と、テープが貼り付けられていない紙幣１０２が検知ローラ１５ａと基準ローラ１５ｂとの間に到達する場合とで、検知ローラ１５ａが押し上げられるタイミングが異なる。具体的には、検知ローラ１５ａの変位による紙幣１０２単体の厚みの検知は、テープ５０１が貼り付けられた紙幣１０３の厚みの検知よりも、ΔＸの距離分だけ、すなわち一定速度で搬送される紙幣１０２、１０３がΔＸの距離を搬送される時間の分だけ遅れることになる。
【００７７】
具体的には、図７（ｂ）に示した、検知ローラ１５ａ及び基準ローラ１５ｂの一部を拡大した拡大図から分かるように、テープ５０１が貼り付けられた紙幣１０３がローラに接触する位置を０（ゼロ）とすると、この位置では紙幣１０２の先端はローラに接触しない。テープが貼り付けられていない紙幣１０２は、さらにΔＸの距離だけ進んだ位置で、ローラに接触する。すなわち、紙幣１０２と紙幣１０３とが同じ厚みの紙幣であっても、紙幣１０３にテープ５０１が貼り付けられていると、通常の厚みの紙幣１０２よりも早いタイミングで、厚みが検知される。
【００７８】
紙幣１０２、１０３の札長は、厚み計測のカウント数とピッチとを乗算して算出される。厚み計測は所定の時間間隔で行われ、厚み計測が行われる隣り合う計測点の距離間隔（ピッチ）は紙幣の搬送速度によって決まるので、言い換えれば、紙幣の厚みを検知した時間と紙幣の搬送速度との乗算によって札長が算出される。テープ５０１が貼り付けられた紙幣１０３は、通常の厚みの紙幣１０２に比べて早いタイミングで厚みが計測され始めるため、テープ５０１が貼り付けられた紙幣１０３の厚みを計測する時間は、紙幣１０２単体の厚みを計測する時間に比べて長くなる。この結果、紙幣１０２と紙幣１０３は札長が同一であるにも拘わらず、計測値のカウント数（計測時間）に基づいて算出される札長は、テープ５０１が貼り付けられた紙幣１０３の方が長くなる。すなわち、紙幣１０３にテープ５０１が貼り付けられていると、搬送方向の見かけの札長が長くなる。
【００７９】
図８は、紙幣の厚みから算出した搬送方向の紙幣長さを示す図である。図７（ａ）及び（ｂ）では、紙幣１０２、１０３の前端が検知ローラ１５ａと基準ローラ１５ｂとの間に突入する場合を示しているが、紙幣１０２、１０３の後端がローラの間を通過する際にも、同様に、後端が通過するタイミングに差が生ずる。このため、テープが貼り付けられていない紙幣１０２と、搬送方向全面にテープ５０１が貼り付けられた紙幣１０３とでは、図８（ａ）に示すように、テープ５０１が貼り付けられた紙幣１０３の方が、見かけ上２×ΔＸの長さだけ長いという結果が得られる。
【００８０】
図８（ｂ）は、厚み検知センサ１５を形成する複数チャンネルのローラ対のうち、チャンネルｎに対応する紙幣１０３上の領域で搬送方向全体にテープ５０１が貼り付けられている場合の札長の算出値を示している。テープ５０１がない領域で紙幣１０３の厚みを計測するチャンネルでは、紙幣１０３の札長はＬとなる。これに対して、紙幣１０３が厚み検知センサ１５を通過する際に、検知ローラ１５ａの下をテープ５０１が通過するチャンネルｎでは紙幣１０３の札長が、見かけ上、Ｌよりも２×ΔＸだけ長くなる。また、チャンネルｎと隣接するチャンネル（ｎ−１）及びチャンネル（ｎ＋１）でテープ５０１の一部が検知ローラ１５ａの下を通過した場合には、紙幣１０３の札長は、見かけ上、Ｌよりは長くＬ＋２×ΔＸよりは短くなる。
【００８１】
厚み判定部２５Ａは、図８（ｂ）に示すように、厚み検知センサ１５を形成する各チャンネルで得られた厚みの計測結果に基づいて、各チャンネルに対応する領域での札長を算出する。また、厚み判定部２５Ａは、先に得られている金種識別結果に基づいて記憶部３０を参照して、基準値となる札長（Ｌ）を取得する。そして、一部のチャンネルで、基準となる札長（Ｌ）に比べて、所定の閾値以上に長い札長が得られた場合に、紙幣にテープが貼り付けられていると判定する。
【００８２】
このように、紙幣識別装置１０では、一定の時間間隔かつ一定の距離間隔で、基準ローラ１５ｂ及び検知ローラ１５ａによって紙幣の厚みを計測するので、紙幣の搬送方向前端から後端がローラ間を通過する間に得られる計測回数及び各計測の距離間隔に基づいて、紙幣の搬送方向の長さを算出することができる。そして、ローラ間に突入する媒体の厚みが異なることによって計測回数（計測時間）が変化することに基づいて、算出した紙幣の長さから紙幣の厚みの違いを検出して、テープが貼り付けられていると判定することができる。
【００８３】
なお、上述した判定方法で挙げた閾値との比較方法等は一例であって、本実施形態がこれに限定されるものではない。例えば、図５及び図６で、紙幣に貼り付けられたテープの有無を判定する際の比較は、紙幣の厚み計測値から紙幣の厚みの基準値を差し引いて得られた差分値と閾値とを比較する態様の他、差分を求めることなく、紙幣の厚み計測値と閾値とを比較する態様であってもよい。すなわち、紙幣の厚み計測値を直接判定できるように閾値を設定してもよいし、厚み計測値から紙幣の厚みの基準値を差し引いた差分値がテープの厚みを示すか否かを判定できるように閾値を設定してもよい。また、図８（ｂ）での札長の比較は、金種識別結果に基づいて得られた紙幣の基準長さと各チャンネルでの厚みの計測結果から算出した紙幣長さとを比較して判定する態様に限定されず、紙幣の基準長さによらず、各チャンネル間で得られた算出値を比較して、一部のチャンネルで、他のチャンネルより長い紙幣長さが得られたか否かに基づいて、紙幣にテープが貼り付けられているか否かを判定してもよい。
【００８４】
上述したように、本実施形態によれば、紙幣１００上の一部の領域で摩耗により厚みが変化する場合には、摩耗の有無に応じて複数種類のテンプレート３１Ａを予め準備しておいて、紙幣光学画像を利用して摩耗の有無を判定する処理を行ってから、この紙幣１００に適用するテンプレート３１Ａを選択して厚み判定を行うので、紙幣１００に貼り付けられたテープの有無を高精度に判定することができる。
【００８５】
また、紙幣１００の光学画像を利用して光学エッジを検出する処理を行って、検出された光学エッジがテープであると判定された場合には、テープの有無を判定する基準となる閾値を厳しくして厚み判定を行うことができる。同様に、紙幣１００の厚みを計測した計測値の変化から厚検エッジを検出して、テープがあると判定された場合にも、厳しい閾値で厚み判定を行うことができる。これにより、紙幣１００に貼り付けられたテープの有無を高精度に判定することができる。
【００８６】
また、紙幣１００の厚みを計測した計測結果から紙幣１００の搬送方向の長さを算出して、算出した値に基づいて、紙幣１００にテープが貼り付けられているか否かを判定することができる。
【００８７】
そして、複数の判定処理を並行して実行して、１つの判定処理でテープが検出されれば、紙幣１００にテープが貼り付けられていると判定することにより、紙幣１００にテープが貼り付けられているか否かを高精度に判定することができる。
【産業上の利用可能性】
【００８８】
以上のように、本発明に係る紙葉類の厚み判定方法及び厚み判定装置は、紙葉類に貼り付けられたテープを高精度に検出するために有用である。
【符号の説明】
【００８９】
１０  紙幣識別装置
１１、１２  タイミングセンサ
１３  光学ラインセンサ
１４  蛍光センサ
１５  厚み検知センサ
１５ａ  検知ローラ
１５ｂ  基準ローラ
１６  磁気センサ
１７  搬送路
２０  制御部
２１  センサ情報取得部
２２  金種識別部
２３  真偽識別部
２４  記番号識別部
２５  正損識別部
２５Ａ  厚み判定部
２５Ｂ  総合判定部
３０  記憶部
【図１】
2016088279.tif 000003
【図２】
2016088279.tif 000004
【図３】
2016088279.tif 000005
【図４】
2016088279.tif 000006
【図５】
2016088279.tif 000007
【図６】
2016088279.tif 000008
【図７】
2016088279.tif 000009
【図８】
2016088279.tif 000010
【国際調査報告】
2016088279.tif 000011
2016088279.tif 000012
2016088279.tif 000013
2016088279.tif 000014